(57)【要約】【課題】基板カバーの誤取り付けに起因して回路基板または回路部品に不具合が生じることを抑制可能な照明装置を提供する。【解決手段】冷陰極管１７と、冷陰極管１７が収容されるシャーシ１４と、シャーシ１４に取り付けられるコントロール基板４０と、シャーシ１４に取り付けられ、コントロール基板４０を覆う形で配される基板カバー６０と、を備え、シャーシ１４における基板カバー６０の取付箇所には、基板カバー６０に向けて突出される複数の突部５２が設けられ、基板カバー６０には、突部５２が挿通されるカバー側挿通孔６３が形成され、突部５２のうち一の突部５２は、他の突部５２が挿通されるカバー側挿通孔６３の孔径より、突部５２の突出方向に交わる断面の最大寸法が大きいことを特徴とする。【選択図】図９
2012043616.tif 000002
【特許請求の範囲】
【請求項１】
光源と、
前記光源が収容されるシャーシと、
前記シャーシに取り付けられる回路基板と、
前記シャーシに取り付けられ、前記回路基板を覆う形で配される基板カバーと、を備え、
前記シャーシにおける前記基板カバーの取付箇所には、前記基板カバーに向けて突出される複数の突部が設けられ、
前記基板カバーには、前記突部が挿通される挿通孔が形成され、
前記突部のうち一の突部は、他の突部が挿通される前記挿通孔の孔径より、前記突部の突出方向に交わる断面の最大寸法が大きいことを特徴とする照明装置。
【請求項２】
前記基板カバーは、方形状であり、
前記突部と前記挿通孔は、前記基板カバーを前記シャーシに取り付けた状態で、前記基板カバーの四隅にそれぞれ第１突部と第１挿通孔、第２突部と第２挿通孔、第３突部と第３挿通孔、及び第４突部と第４挿通孔が配されるものとされ、
前記第１突部は、前記第２挿通孔、前記第３挿通孔、及び前記第４挿通孔の孔径より、前記突部の突出方向に交わる断面の最大寸法が大きいことを特徴とする請求項１に記載の照明装置。
【請求項３】
光源と、
前記光源が収容されるシャーシと、
前記シャーシに取り付けられる回路基板と、
前記シャーシに取り付けられ、前記回路基板を覆う形で配される基板カバーと、を備え、
前記シャーシにおける前記基板カバーの取付箇所には、前記基板カバーに向けて突出される複数の突部が設けられ、
前記基板カバーには、前記突部が挿通される挿通孔が形成され、
前記突部と前記挿通孔は、前記基板カバーが所定の状態とは異なる状態で前記シャーシに取り付けられようとした場合にその取り付けを規制する位置関係に配されていることを特徴とする照明装置。
【請求項４】
前記突部と前記挿通孔は、前記基板カバーが所定の点を中心にして所定の角度回転した複数の状態のうち、所定の状態とは異なる状態で前記基板カバーが前記シャーシに取り付けられるのを規制する位置関係に配されていることを特徴とする請求項３に記載の照明装置。
【請求項５】
前記基板カバーは、方形状であり、
前記突部と前記挿通孔は、前記基板カバーを前記シャーシに取り付けた状態で、前記基板カバーの四隅のうち、三隅にそれぞれ配され、一隅にそれぞれ配されないことを特徴とする請求項２または請求項４に記載の照明装置。
【請求項６】
請求項１から請求項５のいずれか１項に記載の照明装置と、
前記照明装置からの光を利用して表示を行う表示パネルと、を備えることを特徴とする表示装置。
【請求項７】
前記表示パネルが液晶を用いた液晶パネルであることを特徴とする請求項６に記載の表示装置。
【請求項８】
請求項６又は請求項７に記載された表示装置を備えることを特徴とするテレビ受信装置。
【発明の詳細な説明】
【技術分野】
【０００１】
本発明は、照明装置、表示装置、テレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。
【０００３】
特許文献１には、液晶パネルと、スピーカと、ディジタル処理を行う複数の回路を実装する第一の基板と、電源回路を実装する第二の基板と、メインフレームと、サブフレーム対と、シャーシと、筐体とを具備する液晶テレビジョンが開示されている。この液晶テレビジョンでは、ビスで回路基板をシャーシに固定する構成が開示されている。
【先行技術文献】
【特許文献】
【０００４】
【特許文献１】特開２００７−１８０７５１号公報
【発明の概要】
【発明が解決しようとする課題】
【０００５】
ところで、バックライト装置を構成するシャーシには、液晶表示装置の駆動に係る回路基板が取り付けられ、この回路基板を覆う形で基板カバーが取り付けられている場合がある。このような基板カバー及び回路基板は、例えば、ビスなどの取付手段によってシャーシに取り付けられている。
【０００６】
ビスなどの取付手段によってシャーシに基板カバーを取り付ける作業は、シャーシに設けられた突部を基板カバーに設けられた挿通孔に挿通し、基板カバーをシャーシに対して保持した状態で行われることがある。この際、基板カバーには、所定の取り付け状態が規定されている。すなわち、基板カバーは、所定の回路基板に重畳してこれを覆い、当該回路基板を保護する状態で取り付けられる必要があり、また回路部品に応じた開口等の構造を有する場合には、開口等が当該回路部品と重畳する状態で取り付けられる必要がある。仮に、基板カバーが所定の取り付け状態と異なる状態でシャーシに取り付けられると、回路基板が保護されず、また回路部品に応じた開口等の位置がずれて、回路基板に不具合が生じるおそれがある。
【０００７】
本発明は上記のような事情に基づいて完成されたものであって、基板カバーの誤取り付けを抑制し、回路基板または回路部品に生じる不具合が少ない照明装置を提供することを目的とする。また、このような照明装置を備えた表示装置、及びテレビ受信装置を提供することを目的とする。
【課題を解決するための手段】
【０００８】
上記課題を解決するために、本発明の照明装置は、光源と、前記光源が収容されるシャーシと、前記シャーシに取り付けられる回路基板と、前記シャーシに取り付けられ、前記回路基板を覆う形で配される基板カバーと、を備え、前記シャーシにおける前記基板カバーの取付箇所には、前記基板カバーに向けて突出される複数の突部が設けられ、前記基板カバーには、前記突部が挿通される挿通孔が形成され、前記突部のうち一の突部は、他の突部が挿通される前記挿通孔の孔径より、前記突部の突出方向に交わる断面の最大寸法が大きいことに特徴を有する。
【０００９】
本発明において、突部のうち一の突部は、他の突部が挿通される挿通孔の孔径より、突部の突出方向に交わる断面の最大寸法が大きい。ここでいう「断面の最大寸法」とは、断面に含まれる二点間の長さのうち最大の長さを示すものとする。これにより、一の突部を他の突部が挿通される挿通孔に挿通し、基板カバーが所定の状態とは異なる状態で取り付けられようとした場合には、一の突部が当該挿通孔に挿通されず、基板カバーを取り付けることができない。このため、誤取り付けに起因して回路基板または回路部品に不具合が生じることを抑制できる。
【００１０】
上記構成において、前記基板カバーは、方形状であり、前記突部と前記挿通孔は、前記基板カバーを前記シャーシに取り付けた状態で、前記基板カバーの四隅にそれぞれ第１突部と第１挿通孔、第２突部と第２挿通孔、第３突部と第３挿通孔、及び第４突部と第４挿通孔が配されるものとされ、前記第１突部は、前記第２挿通孔、前記第３挿通孔、及び前記第４挿通孔の孔径より、前記突部の突出方向に交わる断面の最大寸法が大きいものとすることができる。
【００１１】
このような構成とすれば、第１突部は、第２挿通孔、第３挿通孔、及び第４挿通孔に挿通不可能であることにより、方形状の基板カバーを９０°または１８０°回転した状態で取り付けることを抑制でき、誤取り付けに起因して回路基板または回路部品に不具合が生じることを抑制できる。
【００１２】
本発明は、以下の照明装置も開示する。本発明の照明装置は、光源と、前記光源が収容されるシャーシと、前記シャーシに取り付けられる回路基板と、前記シャーシに取り付けられ、前記回路基板を覆う形で配される基板カバーと、を備え、前記シャーシにおける前記基板カバーの取付箇所には、前記基板カバーに向けて突出される複数の突部が設けられ、前記基板カバーには、前記突部が挿通される挿通孔が形成され、前記突部と前記挿通孔は、前記基板カバーが所定の状態とは異なる状態で前記シャーシに取り付けられようとした場合にその取り付けを規制する位置関係に配されていることに特徴を有する。
【００１３】
本発明において、突部と挿通孔は、基板カバーが所定の状態とは異なる状態でシャーシに取り付けられようとした場合にその取り付けを規制する位置関係に配されている。これにより、一の突部を他の突部が挿通される挿通孔に挿通し、基板カバーが所定の状態とは異なる状態で取り付けられようとした場合には、少なくとも１つ以上の突部がいずれの挿通孔にも挿通されず、基板カバーを取り付けることができない。このため、誤取り付けに起因して回路基板または回路部品に不具合が生じることを抑制できる。
【００１４】
上記構成において、前記突部と前記挿通孔は、前記基板カバーが所定の点を中心にして所定の角度回転した複数の状態のうち、所定の状態とは異なる状態で前記基板カバーが前記シャーシに取り付けられるのを規制する位置関係に配されているものとすることができる。
【００１５】
このような構成とすれば、基板カバーを所定の角度回転した状態で取り付けることを抑制でき、誤取り付けに起因して回路基板または回路部品に不具合が生じることを抑制できる。
【００１６】
上記構成において、前記基板カバーは、方形状であり、前記突部と前記挿通孔は、前記基板カバーを前記シャーシに取り付けた状態で、前記基板カバーの四隅のうち、三隅にそれぞれ配され、一隅にそれぞれ配されないものとすることができる。
【００１７】
このような構成とすれば、方形状の基板カバーを、９０°または１８０°回転した状態で取り付けることを抑制でき、誤取り付けに起因して回路基板または回路部品に不具合が生じることを抑制できる。
【００１８】
次に、上記課題を解決するために、本発明の表示装置は、上記照明装置と、前記照明装置からの光を利用して表示を行う表示パネルと、を備えることを特徴とする。
【００１９】
また、前記表示パネルとしては液晶を用いた液晶パネルを例示することができる。このような表示装置は液晶表示装置として、種々の用途、例えばテレビやパソコンのデスクトップ画面等に適用でき、特に大型画面用として好適である。
【００２０】
次に、上記課題を解決するために、本発明のテレビ受信装置は、上記表示装置を備えることを特徴とする。
【発明の効果】
【００２１】
本発明によれば、基板カバーの誤取り付けを抑制し、回路基板または回路部品に生じる不具合が少ない照明装置を提供することができる。
【図面の簡単な説明】
【００２２】
【図１】本発明の実施形態１に係るテレビ受信装置の概略構成を示す分解斜視図。
【図２】図１のテレビ受信装置が備える液晶表示装置の概略構成を示す分解斜視図。
【図３】液晶表示装置の長辺方向に沿った断面構成を示す断面図。
【図４】図３の液晶表示装置が備えるバックライト装置の裏面を示す平面図。
【図５】図４においてコントロール基板付近を拡大して示す拡大図。
【図６】実施形態１に係る基板カバーを示す平面図。
【図７】図５において図６の基板カバーを取り付けた状態を示す拡大図。
【図８】基板カバー及びコントロール基板の取付構造を示す断面図（図７のＡ−Ａ線で切断した図）。
【図９】基板カバー及びコントロール基板の取付構造を示す断面図（図７のＢ−Ｂ線で切断した図）。
【図１０】図６の基板カバーを誤って取り付けようとした場合の状態を示す拡大図。
【図１１】本発明の実施形態１の変形例１に係る基板カバーを取り付けた状態を示す拡大図。
【図１２】本発明の実施形態２に係る基板カバーを取り付けた状態を示す拡大図。
【発明を実施するための形態】
【００２３】
＜実施形態１＞
本発明の実施形態１を図１ないし図１０によって説明する。まず、液晶表示装置１０を備えたテレビ受信装置ＴＶの構成について説明する。図１は本実施形態のテレビ受信装置の概略構成を示す分解斜視図、図２は図１のテレビ受信装置が備える液晶表示装置の概略構成を示す分解斜視図、図３は図２の液晶表示装置の長辺方向に沿った断面構成を示す断面図である。なお、液晶表示装置１０（及びシャーシ１４）の長辺方向をＸ軸方向とし、短辺方向をＹ軸方向とし、図３における上下方向をＺ軸方向（表裏方向）としている。
【００２４】
本実施形態に係るテレビ受信装置ＴＶは、図１に示すように、液晶表示装置１０と、当該液晶表示装置１０を挟むようにして収容する表裏両キャビネットＣａ，Ｃｂと、電源基板Ｐと、チューナーＴと、スタンドＳとを備えて構成される。液晶表示装置１０（表示装置）は、全体として横長の方形を成し、縦置き状態（短辺方向が鉛直方向に沿って配された状態）で収容されている。この液晶表示装置１０は、図２に示すように、液晶パネル１１（表示パネル）と、外部光源であるバックライト装置１２（照明装置）とを備え、これらが枠状のベゼル１３などにより一体的に保持されるようになっている。
【００２５】
次に、液晶表示装置１０を構成する液晶パネル１１及びバックライト装置１２について説明する。液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが取り付けられている（図３参照）。
【００２６】
バックライト装置１２は、図２に示すように、光出射面側（液晶パネル１１側）に開口部１４ｂを有する略箱型をなすシャーシ１４と、シャーシ１４の開口部１４ｂを覆うようにして取り付けられる拡散板１５ａと、拡散板１５ａと液晶パネル１１との間に配される複数の光学シート１５ｂと、シャーシ１４の長辺に沿って配され拡散板１５ａの長辺縁部をシャーシ１４との間で挟んで保持するフレーム１６とを備える。
【００２７】
さらに、シャーシ１４内には、冷陰極管１７（光源）と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とが収容されている。なお、当該バックライト装置１２においては、冷陰極管１７よりも拡散板１５ａ側が光出射側となっている。
【００２８】
シャーシ１４は、金属製の板状部材が板金成形されたものとされ、矩形平板状の底板１４ａと、その各辺から立ち上がり略Ｕ字状に折り返された外縁部２１（短辺方向の短辺外縁部２１ａ及び長辺方向の長辺外縁部２１ｂ）とからなる略箱型をなしている。シャーシ１４の底板１４ａにおいて、その長辺方向の両端部には、中継コネクタ１９を取り付けるための取付孔２２が複数貫通形成されている。さらに、シャーシ１４の長辺外縁部２１ｂの上面には、固定孔（図示せず）が貫通形成されており、図３に示すように、例えばネジ等によりベゼル１３、フレーム１６、及びシャーシ１４等を一体化することが可能とされている。なお、シャーシ１４の材質は金属に限定されず適宜変更可能である。
【００２９】
図２または図７に示すように、シャーシ１４の底板１４ａの内面側（冷陰極管１７と対向する面側）には光反射シート２３が配設されている。光反射シート２３は、合成樹脂製とされ、その表面が反射性に優れた白色とされており、シャーシ１４の底板１４ａの内面に沿ってそのほぼ全域を覆うように敷かれている（図３では光反射シートは不図示）。この光反射シート２３により、冷陰極管１７から出射された光を拡散板１５ａ側に反射させることが可能となっている。
【００３０】
一方、シャーシ１４の開口部１４ｂ側には拡散板１５ａ及び光学シート１５ｂが配設されている。拡散板１５ａは、合成樹脂製の板状部材に光散乱粒子が分散配合されてなり、管状光源たる冷陰極管１７から出射される線状の光を拡散する機能を有する。拡散板１５ａの短辺縁部は上記したようにホルダ２０の第１面２０ａ上に載置されており、上下方向の拘束力を受けないものとされている。一方、拡散板１５ａの長辺縁部は、シャーシ１４とフレーム１６とに挟まれることで固定されている。
【００３１】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの上面側には液晶パネル１１が設置され、当該光学シート１５ｂは拡散板１５ａと液晶パネル１１とにより挟持されている。
【００３２】
冷陰極管１７は、細長い管状をなしており、その長さ方向（軸方向）をシャーシ１４の長辺方向と一致させた状態で、かつ多数本（本実施形態では２０本）が互いに平行に並んだ状態でシャーシ１４内に収容されている（図２参照）。これら冷陰極管１７の各端部には駆動電力を受容する端子（図示せず）が備えられ、当該端部が中継コネクタ１９に嵌め込まれ、これら中継コネクタ１９を被覆するようにホルダ２０が取り付けられている。
【００３３】
冷陰極管１７の端部を覆うホルダ２０は、白色を呈する合成樹脂製とされ、シャーシ１４の短辺方向に沿って延びる細長い略箱型をなしている。当該ホルダ２０は、シャーシ１４の短辺外縁部２１ａと一部重畳した状態で配されており、短辺外縁部２１ａとともに当該バックライト装置１２の側壁を構成している。図３に示すように、ホルダ２０のうちシャーシ１４の折返し外縁部２１ａと対向する面からは挿入ピン２４が突出しており、当該挿入ピン２４がシャーシ１４の短辺外縁部２１ａの上面に形成された挿入孔２５に挿入されることで、当該ホルダ２０はシャーシ１４に取り付けられるものとされている。
【００３４】
ホルダ２０の階段状面は、図３に示すように、シャーシ１４の底板１４ａと平行な３面からなり、最も低い位置にある第１面２０ａには拡散板１５ａの短辺縁部が載置されている。さらに、第１面２０ａからは、シャーシ１４の底板１４ａに向けて傾斜する傾斜カバー２６が延出している。ホルダ２０の階段状面の第２面２０ｂには、液晶パネル１１の短辺縁部が載置されている。ホルダ２０の階段状面のうち最も高い位置にある第３面２０ｃは、シャーシ１４の短辺外縁部２１ａと重畳する位置に配され、ベゼル１３と接触するものとされている。
【００３５】
図２及び図４に示すように、シャーシ１４の底板１４ａの外面側（冷陰極管１７とは反対側、裏面側）には、インバータ基板３０及びコントロール基板４０が取り付けられている。なお、上述した電源基板Ｐ（図１参照、図４では図示せず）は、インバータ基板３０やコントロール基板４０などと電気的に接続され、これらに電力を供給する電力供給源とされている。
【００３６】
インバータ基板３０は、シャーシ１４の長辺方向の両端部にそれぞれ設けられ、シャーシ１４の短辺方向に沿った長い方形状をなしている。各インバータ基板３０は、コネクタ２７及びハーネス２８を介して冷陰極管１７と電気的に接続されている。また、インバータ基板３０は、電源基板Ｐから入力される入力電圧をトランスなどにより構成されるインバータ回路によって昇圧し、入力電圧よりも高い出力電圧を冷陰極管１７へ出力するなどして冷陰極管１７の点灯（又は消灯）を制御する機能を有する。
【００３７】
コントロール基板４０（回路基板）は、図４に示すように、方形状をなしており、シャーシ１４の長辺方向の中央部、かつシャーシ１４の短辺方向において一方に偏った位置（図４の上側）に配されている。コントロール基板４０は、図５に示すように、合成樹脂製（例えば紙フェノール製またはガラスエポキシ樹脂製など）の基板上に回路部品４１が実装されており、チューナーＴからのテレビ信号などの各種入力信号を液晶駆動用の信号に変換し、その変換した液晶駆動用の信号を液晶パネル１１に供給する機能を有する。回路部品４１ａは、温度特性を有する電子部品（つまり温度によって機能特性が変化する電子部品、例えばコンデンサ）であり、基板上に実装されている。
【００３８】
シャーシ１４の底板１４ａには、図２及び図７に示すように、コントロール基板４０を覆う形で基板カバー６０が取り付けられており、各インバータ基板３０を覆う形で基板カバー３１がそれぞれ取り付けられている。なお、図４は、基板カバー６０，３１をシャーシ１４から取り外した状態を示している。このような基板カバー６０，３１は、各基板４０，３０の保護を図るとともに、基板駆動時など基板が高温となった際に、基板に手などが触れる事態を防止する機能を担っている。
【００３９】
基板カバー６０は、図６に示すように、板状をなしており、シャーシ１４側に向かって開口された断面視略Ｕ字型をなす中央部６１と、中央部６１のシャーシ１４の長辺方向における両端（図６の左右両端）から底板１４ａに沿ってそれぞれ延びる端部６２と、を備えている。中央部６１のうち回路部品４１ａと重畳する領域には、通気用の開口部６０ａが設けられている。なお、図８においては、コントロール基板４０及び基板カバー６０をＹ軸方向から視た図にて図示してある。
【００４０】
次に、シャーシ１４に対するコントロール基板４０及び基板カバー６０の取付構造について説明する。シャーシ１４の底板１４ａにおけるシャーシ１４外側の面において、コントロール基板４０の取付箇所には、図８に示すように、取付台座部５０（取付部）が複数形成されており、コントロール基板４０は、複数の取付台座部５０に跨る形で配されている。また、コントロール基板４０は、各取付台座部５０に対して、ビスＢ１によって、それぞれ取り付けられている。
【００４１】
取付台座部５０は、底板１４ａの一部をシャーシ１４外面側に突き出すことで形成されている（突設されている）。取付台座部５０は、図５に示すように、方形状をなすコントロール基板４０の四隅に対応する位置にそれぞれ形成され、シャーシ１４の短辺方向（Ｙ軸方向）に沿って長い形状をなし、短辺方向の両端が、図５に示す平面視において、それぞれ曲線状をなしている。
【００４２】
図８に示すように、各取付台座部５０には、ビスＢ１が挿通可能な円形状の取付孔５１がそれぞれ形成されている。なお、取付孔５１の内周面にはネジが切ってあり、ビスＢ１の先端部が螺合可能となっている。そして、各取付台座部５０には、その一部をシャーシ１４外面側に突き出すことで突部５２が形成されている。つまり、突部５２はシャーシ１４と一体形成されている。この突部５２は、隣接する取付孔５１とシャーシ１４の長辺方向において同じ位置に配され、シャーシ１４の短辺方向において隣接する取付孔５１よりコントロール基板４０の中央側に配されている。
【００４３】
図８及び図９に示すように、突部５２は、その先端部が曲面状をなす略円柱状をなしている。突部５２は、その突き出し方向が、シャーシ１４の底板１４ａの延設方向（Ｘ軸及びＹ軸方向）と直交する方向と一致する形で延びている。突部５２は、図５に示すように、第１突部５２ａ、第２突部５２ｂ、第３突部５２ｃ、及び第４突部５２ｄで構成されている。第１突部５２ａの突出方向に交わる断面の最大寸法は、円形状をなす断面形状の直径の長さとされる。突部５２は、コントロール基板４０に形成された基板側挿通孔４３及び基板カバー６０の端部６２に形成されたカバー側挿通孔６３の双方に挿通されている。
【００４４】
また、突部５２は、フィレット形状をなし、その先端に向かうにつれて先細りとなっている。これにより、突部５２を基板側挿通孔４３及びカバー側挿通孔６３に挿通させやすくなり、作業性が向上する。
【００４５】
突部５２は、図８に示すように、その突出長さＬ１が、基板カバー６０の板厚ｔ１とコントロール基板４０の板厚ｔ２とを合わせた長さ以上の長さとなる形で形成されており、コントロール基板４０及び基板カバー６０をシャーシ１４に取り付けた状態において、突部５２の先端がシャーシ１４の外側に突き出す構成となっている。
【００４６】
カバー側挿通孔６３（挿通孔）は、図７に示すように、第１突部５２ａ、第２突部５２ｂ、第３突部５２ｃ、及び第４突部５２ｄのそれぞれを挿通する第１挿通孔６３ａ、第２挿通孔６３ｂ、第３挿通孔６３ｃ、及び第４挿通孔６３ｄで構成されている。第２挿通孔６３ｂ、第３挿通孔６３ｃ、及び第４挿通孔６３ｄの孔径は、円形状をなす第１突部５２ａの突出方向に交わる断面の最大寸法より小さく、第１突部５２ａを挿通しないものとされている。
【００４７】
コントロール基板４０には、ビスＢ１を挿通可能な円形状のビス挿通孔４５が形成されている。そして、基板カバー６０の端部６２においてビス挿通孔４５と重畳する箇所には、円形状のビス挿通孔６５が形成されている。これにより、ビス挿通孔４５，６５の双方にビスＢ１をシャーシ１４外側から挿通させた後に、取付台座部５０の取付孔５１にビスＢ１の先端部を螺合させることで、シャーシ１４に対するコントロール基板４０及び基板カバー６０の取付が可能な構成となっている。
【００４８】
また、上述したように取付台座部５０は、底板１４ａの一部をシャーシ１４外面側に突き出すことで形成されているため、図８に示すように、ビスＢ１を取付孔５１（の内周に）に螺合させた際に、ビスＢ１の先端が底板１４ａに配設された光反射シート２３と干渉する事態を抑制可能となっている。
【００４９】
また、本実施形態においては、シャーシ１４の底板１４ａにおいて、インバータ基板３０の長辺方向両端に対応する箇所に取付台座部５０がそれぞれ形成されており、インバータ基板３０及び基板カバー３１をビスＢ１を介して取り付け可能な構成となっている。図４に示す、上側の取付台座部５０に設けられる突部５２は、下側の取付台座部５０に設けられる突部５２が挿通される基板カバー３１に設けられたカバー側挿通孔の孔径より、突部５２の突出方向に交わる断面の最大寸法が大きいものとされている。インバータ基板３０及び基板カバー３１を取付台座部５０に取り付けるための取付構造は、コントロール基板４０及び基板カバー６０を取付台座部５０に取り付けるための取付構造とほぼ同じであるため、詳しい説明は省略する。
【００５０】
次に、本実施形態のバックライト装置１２において、シャーシ１４に対してコントロール基板４０及び基板カバー６０を取り付ける手順について説明する。本実施形態においては、シャーシ１４を保持具（図示せず）などで縦置き状態、つまり、シャーシ１４の底板１４ａの延設面が鉛直方向に沿った状態（図４及び図９の状態）とし、その状態でコントロール基板４０及び基板カバー６０の取付が行われる。また、本実施形態においては、シャーシ１４におけるコントロール基板４０が配される側（図４の上側）が鉛直方向上側となる形でバックライト装置１２が保持されている。
【００５１】
まず、図９に示すように、各取付台座部５０の各突部５２がコントロール基板４０の各基板側挿通孔４３に挿通されるようにコントロール基板４０を配する。これにより、コントロール基板４０がシャーシ１４に対して保持（仮保持）される。
【００５２】
続いて、コントロール基板４０をシャーシ１４外側から覆う形で基板カバー６０を配する。具体的には、各突部５２が基板カバー６０の各カバー側挿通孔６３に挿通されるように基板カバー６０を配する。これにより、基板カバー６０がシャーシ１４に対して保持（仮保持）される（図８の状態）。なお、この状態では、基板カバー６０の各端部６２とコントロール基板４０の左右両側の周端部とが、それぞれ平面視において重畳する形で配される。
【００５３】
次に、コントロール基板４０のビス挿通孔４５及び基板カバー６０のビス挿通孔６５の双方にビスＢ１をシャーシ１４外側から挿通させ、取付台座部５０の取付孔５１にビスＢ１の先端部を螺合させる。これにより、シャーシ１４に対するコントロール基板４０及び基板カバー６０の取付が完了する。
【００５４】
以上、説明したように、本実施形態においては、冷陰極管１７と、冷陰極管１７が収容されるシャーシ１４と、シャーシ１４に取り付けられるコントロール基板４０と、シャーシ１４に取り付けられ、コントロール基板４０を覆う形で配される基板カバー６０と、を備え、シャーシ１４における基板カバー６０の取付箇所には、基板カバー６０に向けて突出される４つの突部５２が設けられ、基板カバー６０には、突部５２が挿通されるカバー側挿通孔６３が形成され、突部５２のうち第１突部５２ａは、他の突部が挿通されるカバー側挿通孔６３の孔径より、突部５２の突出方向に交わる断面の最大寸法が大きいものである。
【００５５】
このような構成により、第１突部５２ａを他の突部５２が挿通されるカバー側挿通孔６３に挿通し、基板カバー６０が所定の状態とは異なる状態で取り付けられようとした場合には、第１突部５２ａが当該カバー側挿通孔６３に挿通されず、基板カバー６０を取り付けることができない。このため、誤取り付けに起因してコントロール基板４０または回路部品４１に不具合が生じることを抑制できる。
【００５６】
具体的には、基板カバー６０は、コントロール基板４０に重畳してこれを覆い、コントロール基板４０を保護する状態で取り付けられ、また回路部品４１ａに応じた通気用の開口部６０ａが回路部品４１ａと重畳する状態で取り付けられる。仮に、図１０に示すように、第１突部５２ａを第４挿通孔６３ｄに挿通し、基板カバー６０を１８０°回転した状態で取り付けようとした場合には、第４挿通孔６３ｄの孔径より断面の最大寸法が大きい第１突部５２ａを第４挿通孔６３ｄに挿通することは不可能であり、基板カバー６０が１８０°回転した状態でシャーシ１４に取り付けられることはない。このため、コントロール基板４０の所定の位置以外に開口部６０ａが重畳することを防止でき、また回路部品４１ａに通気用の開口部６０ａが重畳せず、回路部品４１ａに熱による障害が発生することを抑制できる。
【００５７】
また、基板カバー６０は、平面視方形状であり、突部５２とカバー側挿通孔６３は、基板カバー６０をシャーシ１４に取り付けた状態で、基板カバー６０の四隅にそれぞれ第１突部５２ａと第１挿通孔６３ａ、第２突部５２ｂと第２挿通孔６３ｂ、第３突部５２ｃと第３挿通孔６３ｃ、及び第４突部５２ｄと第４挿通孔６３ｄが配されるものとされ、第１突部５２ａは、第２挿通孔６３ｂ、第３挿通孔６３ｃ、及び第４挿通孔６３ｄの孔径より、突部５２の突出方向に交わる断面の最大寸法が大きいものとされている。
【００５８】
このような構成とすれば、第１突部５２ａは、第２挿通孔６３ｂ、第３挿通孔６３ｃ、及び第４挿通孔６３ｄに挿通不可能であることにより、方形状の基板カバー６０を９０°または１８０°回転した状態で取り付けることができない。このため、誤取り付けに起因してコントロール基板４０または回路部品４１に不具合が生じることを抑制できる。
【００５９】
＜実施形態１の変形例１＞
実施形態１の変形例１について図１１を用いて説明する。ここでは、実施形態１の第１突部５２ａの態様を変更した構成を示す。
【００６０】
突部５２−１は、その先端部が曲面状をなす略柱状をなしている。突部５２−１は、その突き出し方向が、シャーシ１４の底板１４ａの延設方向（Ｘ軸及びＹ軸方向）と直交する方向と一致する形で延びている。突部５２−１は、第１突部５２ａ−１、第２突部５２ｂ、第３突部５２ｃ、及び第４突部５２ｄで構成されている。第１突部５２ａ−１は、略四角柱状をなし、突出方向に交わる断面の形状が方形状であり、当該断面の最大寸法は方形の対角線の長さとされる。また、第２突部５２ｂ、第３突部５２ｃ、及び第４突部５２ｄは、略円柱状をなしている。突部５２−１のそれぞれは、コントロール基板４０の四隅に対応してコントロール基板４０に形成された基板側挿通孔４３及び基板カバー６０の端部６２に形成されたカバー側挿通孔６３−１の双方に挿通されている。
【００６１】
カバー側挿通孔６３−１は、第１突部５２ａ−１、第２突部５２ｂ、第３突部５２ｃ、及び第４突部５２ｄのそれぞれを挿通する第１挿通孔６３ａ−１、第２挿通孔６３ｂ、第３挿通孔６３ｃ、及び第４挿通孔６３ｄで構成されている。第２挿通孔６３ｂ、第３挿通孔６３ｃ、及び第４挿通孔６３ｄの孔径は、方形状をなす第１突部５２ａ−１の突出方向に交わる断面の最大寸法より小さく、第１突部５２ａ−１を挿通しないものとされている。
【００６２】
このような構成により、第１突部５２ａ−１を他の突部５２−１が挿通されるカバー側挿通孔６３−１に挿通し、基板カバー６０が所定の状態とは異なる状態で取り付けられようとした場合には、第１突部５２ａ−１が当該カバー側挿通孔６３−１に挿通されず、基板カバー６０を取り付けることができない。このため、誤取り付けに起因してコントロール基板４０または回路部品４１に不具合が生じることを抑制できる。さらに、本変形例では、第１突部５２ａ−１及び第１挿通孔６３ａ−１の形状が、他の突部５２−１及び他のカバー側挿通孔６３−１と異なることにより、形状を識別して第１突部５２ａ−１と第１挿通孔６３ａ−１との位置を整合させることができ、基板カバー６０を取り付ける際の作業性を向上することができる。
【００６３】
＜実施形態２＞
次に、本発明の実施形態２を図１２によって説明する。上記実施形態と同一部分には、同一符号を付して重複する説明を省略する。本実施形態のバックライト装置１１２においては、突部１５２とカバー側挿通孔１６３は、基板カバー６０が所定の状態とは異なる状態でシャーシ１４に取り付けられようとした場合にその取り付けを規制する位置関係に配されている点が上記実施形態と異なる。
【００６４】
取付台座部５０は、底板１４ａの一部をシャーシ１４外面側に突き出すことで形成され、シャーシ１４の短辺方向（Ｙ軸方向）に沿って長い形状をなし、短辺方向の両端が、平面視において、それぞれ曲線状をなしている。取付台座部５０は、図１２に示すように、方形状をなすコントロール基板４０及び基板カバー６０の四隅のうち三隅に対応する位置にそれぞれ形成され、左側上方の一隅には形成されない。さらに、１つの取付台座部５０がコントロール基板４０及び基板カバー６０の左側中央付近に対応する位置に形成されている。
【００６５】
各取付台座部５０には、ビスＢ１が挿通可能な円形状の取付孔５１がそれぞれ形成されている。なお、取付孔５１の内周面にはネジが切ってあり、ビスＢ１の先端部が螺合可能となっている。そして、各取付台座部５０には、その一部をシャーシ１４外面側に突き出すことで突部１５２が形成されている。つまり、突部１５２はシャーシ１４と一体形成されている。この突部１５２は、図１２に示すように、取付台座部５０に形成された取付孔５１に隣接して、Ｙ軸方向に沿って取付孔５１の上側または下側に配されている。すなわち、突部１５２は、方形状をなす基板カバー６０の四隅のうち三隅に対応する位置にそれぞれ形成され、左側上方の一隅には形成されないものとされている。さらに、１つの突部１５２が基板カバー６０の左側中央付近に対応する位置に形成されている。
【００６６】
突部１５２は、その先端部が曲面状をなす略円柱状をなしている。突部１５２は、その突き出し方向が、シャーシ１４の底板１４ａの延設方向（Ｘ軸及びＹ軸方向）と直交する方向と一致する形で延びている。突部１５２は、コントロール基板４０に形成された基板側挿通孔４３及び基板カバー６０の端部６２に形成されたカバー側挿通孔１６３（挿通孔）の双方に挿通されている。
【００６７】
カバー側挿通孔１６３は、図１２に示すように、突部１５２のそれぞれを挿通する４つのカバー側挿通孔１６３で構成されている。すなわち、カバー側挿通孔１６３は、方形状をなす基板カバー６０の四隅のうち三隅にそれぞれ形成され、図１２に示す左側上方の一隅には形成されないものとされている。さらに、１つのカバー側挿通孔１６３が基板カバー６０の左側中央付近に形成されている。
【００６８】
以上、説明したように、本実施形態においては、冷陰極管１７と、冷陰極管１７が収容されるシャーシ１４と、シャーシ１４に取り付けられるコントロール基板４０と、シャーシ１４に取り付けられ、コントロール基板４０を覆う形で配される基板カバー６０と、を備え、シャーシ１４における基板カバー６０の取付箇所には、基板カバー６０に向けて突出される４つの突部１５２が設けられ、基板カバー６０には、突部１５２が挿通されるカバー側挿通孔１６３が形成され、突部１５２とカバー側挿通孔１６３は、基板カバー６０が所定の状態とは異なる状態でシャーシ１４に取り付けられようとした場合にその取り付けを規制する位置関係に配されている。
【００６９】
このような構成により、一の突部１５２を他の突部１５２が挿通されるカバー側挿通孔１６３に挿通し、基板カバー６０が所定の状態とは異なる状態で取り付けられようとした場合には、少なくとも１つ以上の突部１５２がいずれのカバー側挿通孔１６３にも挿通されず、基板カバー６０を取り付けることができない。このため、誤取り付けに起因してコントロール基板４０または回路部品４１に不具合が生じることを抑制できる。
【００７０】
具体的には、基板カバー６０は、コントロール基板４０に重畳してこれを覆い、コントロール基板４０を保護する状態で取り付けられ、また回路部品４１ａに応じた通気用の開口部６０ａが回路部品４１ａと重畳する状態で取り付けられる。仮に、基板カバー６０を１８０°回転した状態で取り付けようとした場合には、図１２に示す、コントロール基板４０の右側下方及び左側中央付近に配された突部１５２と整合する位置にいずれのカバー側挿通孔１６３も配されず、基板カバー６０が１８０°回転した状態でシャーシ１４に取り付けられることはない。このため、コントロール基板４０の所定の位置以外に開口部６０ａが重畳することを防止でき、また回路部品４１ａに通気用の開口部６０ａが重畳せず、回路部品４１ａに熱による障害が発生することを抑制できる。
【００７１】
また、突部１５２とカバー側挿通孔１６３は、基板カバー６０が所定の点を中心にして所定の角度回転した複数の状態のうち、所定の状態とは異なる状態で基板カバー６０がシャーシ１４に取り付けられるのを規制する位置関係に配されているものとされている。
【００７２】
このような構成とすれば、基板カバー６０を所定の角度回転した状態で取り付けることができない。このため、誤取り付けに起因してコントロール基板４０または回路部品４１に不具合が生じることを抑制できる。
【００７３】
また、基板カバー６０は、方形状であり、突部１５２とカバー側挿通孔１６３は、基板カバー６０をシャーシ１４に取り付けた状態で、基板カバー６０の四隅のうち、三隅にそれぞれ配され、一隅にそれぞれ配されないものとされている。
【００７４】
このような構成とすれば、方形状の基板カバー６０を、９０°または１８０°回転した状態で取り付けることができない。すなわち、基板カバー６０を９０°または１８０°回転した状態で取り付けようとした場合には、突部１５２の配された三隅のうち一隅と整合する位置に基板カバー６０のカバー側挿通孔１６３が配されない一隅が配されることとなり、基板カバー６０がシャーシ１４に取り付けられることはない。このため、誤取り付けに起因してコントロール基板４０または回路部品４１に不具合が生じることを抑制できる。
【００７５】
＜他の実施形態＞
本発明は上記記述及び図面によって説明した実施形態に限定されるものではなく、例えば次のような実施形態も本発明の技術的範囲に含まれる。
【００７６】
（１）カバー側挿通孔６３及び突部５２の形状、形成箇所、個数などは上記構成のものに限定されず適宜変更可能である。例えば、突部がボルトで形成されていてもよい。その場合、ボルトの軸をシャーシの表側の面からシャーシに挿通し、シャーシの裏側の面に突出させればよく、ナットを当該ボルトに締結することでコントロール基板及び基板カバーをシャーシに対して固定する構成とされてもよい。
【００７７】
（２）第１突部５２ａの形状は上記構成のものに限定されず適宜変更可能である。例えば、柱状の突部のうち、先端部のみがＸＹ平面に沿って膨らんだ形状であってもよい。
【００７８】
（３）取付台座部５０の形状は、上記実施形態のものに限定されない。また、基板カバー６０及びコントロール基板４０は、シャーシ１４の底板１４ａのうち、取付台座部５０が形成されていない箇所に取り付けられる構成であってもよい。
【００７９】
（４）上記実施形態では、回路基板として、コントロール基板４０を例示したが、これに限定されない。シャーシ１４に取り付けられる回路基板及び基板カバーであれば、本発明の構成（突部にて保持する構成）を適用することが可能である。
【００８０】
（５）上記実施形態では、光源として冷陰極管を用いた場合を示したが、これに限定されない。光源として熱陰極管やＬＥＤなどを用いることも可能である。
【００８１】
（６）上記実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【００８２】
（７）上記実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００８３】
（８）上記実施形態では、表示パネルとして液晶パネルを用いた液晶表示装置を例示したが、他の種類の表示パネルを用いた表示装置にも本発明は適用可能である。
【００８４】
（９）上記実施形態では、チューナーを備えたテレビ受信装置を例示したが、チューナーを備えない表示装置にも本発明は適用可能である。
【符号の説明】
【００８５】
１０…液晶表示装置（表示装置）、１１…液晶パネル（表示パネル）、１２，１１２…バックライト装置（照明装置）、１４…シャーシ、１４ａ…シャーシの底板、１７…冷陰極管（光源）、４０…コントロール基板（回路基板）、４３…基板側挿通孔、５０…取付台座部（取付部）、５２，１５２…突部、６０…基板カバー、６３，１６３…カバー側挿通孔（挿通孔）、Ｂ１…ビス、ｔ１…基板カバーの板厚、ＴＶ…テレビ受信装置
【図１】
2012043616.tif 000003
【図２】
2012043616.tif 000004
【図３】
2012043616.tif 000005
【図４】
2012043616.tif 000006
【図５】
2012043616.tif 000007
【図６】
2012043616.tif 000008
【図７】
2012043616.tif 000009
【図８】
2012043616.tif 000010
【図９】
2012043616.tif 000011
【図１０】
2012043616.tif 000012
【図１１】
2012043616.tif 000013
【図１２】
2012043616.tif 000014